(57)【特許請求の範囲】
【請求項１】
電子レンジ加熱対象物を袋本体に密封収容した電子レンジ加熱物収容袋であり、前記袋本体はマイクロ波透過可能な、前記電子レンジ加熱対象物の電子レンジ加熱時の昇温に耐え得る耐熱性を有するフィルムで形成されており、且つ、外輪郭ラインと前記電子レンジ加熱対象物の密封収容域を囲む閉じ縁ラインの間でヒートシールされていて扁平状に形成されており、前記電子レンジ加熱対象物の密封収容域を囲む閉じ縁ラインは順次連続して前記密封収容域を囲む複数の縁ライン部分からなり、前記複数の縁ライン部分には前記電子レンジ加熱対象物の袋本体内投入後に閉じられる後閉じ縁ライン部分が含まれており、
前記袋本体は扁平四角形状に形成されており、前記密封収容域を囲む複数の縁ライン部分には前縁ライン部分と、前記前縁ライン部分とは反対側の直線状の後縁ライン部分と、前記前縁ライン部分及び後縁ライン部分の間の直線状の両側縁ライン部分が含まれており、
前記前縁ライン部分と前記後縁ライン部分の間の部位に前記電子レンジ加熱対象物の電子レンジ加熱時の袋本体内上昇圧により開封されて袋本体内圧を逃がす圧抜き部が形成されており、
前記直線状の後縁ライン部分は前記後閉じ縁ライン部分であり、
前記後縁ライン部分と前記各側縁ライン部分とが直線状の中間縁ライン部分を介して連続しており、
前記密封収容域側から見て、前記各中間縁ライン部分と前記各側縁ライン部分とがなす角度及び前記各中間縁ライン部分と前記後縁ライン部分とがなす角度のそれぞれは１８０度未満の鈍角であり、
前記前縁ライン部分は直線状の縁ライン部分であり、前記前縁ライン部分は前記各側縁ライン部分と円弧状の縁ライン部分を介して連続しており、
前記前縁ライン部分と前記各側縁ライン部分とをつなぐ前記各円弧状の縁ライン部分は、隣り合うもの同士がそれらの連続点においてなめらかに直線状に連続する複数の円弧状の分割縁ライン部分からなっており、前記分割縁ライン部分のうち前記前縁ライン部分に隣り合う分割縁ライン部分は該前縁ライン部分との連続点においてなめらかに直線状に該前縁ライン部分に連続しており、前記分割縁ライン部分のうち前記側縁ライン部分に隣り合う分割縁ライン部分は、前記密封収容域側から見て該側縁ライン部分と１８０度未満の鈍角をなして該側縁ライン部分につながっていることを特徴とする電子レンジ加熱物収容袋。
【請求項２】
前記袋本体は扁平四角形状の袋本体であり、前記袋本体の外輪郭ラインは複数の輪郭ライン部分からなり、前記複数の輪郭ライン部分には前側の直線状の輪郭ライン部分と、後ろ側の直線状の輪郭ライン部分と、前記前側輪郭ライン部分と前記後ろ側輪郭ライン部分の間の直線状の両側輪郭ライン部分と、前記前側輪郭ライン部分と前記両側輪郭ライン部分とをつなぐ第１中間輪郭ライン部分と、前記後ろ側輪郭ライン部分と前記両側輪郭ライン部分とをつなぐ第２中間輪郭ライン部分とが含まれており、前記前側輪郭ライン部分と前記各第１中間輪郭ライン部分、前記後ろ側輪郭ライン部分と前記各第２中間輪郭ライン部分、前記両側輪郭ライン部分と前記第１及び第２の中間輪郭ライン部分はそれぞれそれらの連続点においてなめらかに直線状に連続している請求項１記載の電子レンジ加熱物収容袋。
【請求項３】
前記電子レンジ加熱対象物は電子レンジ加熱対象食品である請求項１又は２記載の電子レンジ加熱物収容袋。
【発明の詳細な説明】
【技術分野】
【０００１】
本発明は電子レンジ加熱対象物をマイクロ波透過可能な袋本体に密封収容した電子レンジ加熱物収容袋に関する。
【背景技術】
【０００２】
今日、マイクロ波透過可能なプラスチック袋本体に密封収容された種々の電子レンジ加熱対象物（特に調理された、或いは半調理された食品）が市場に流通している。そのようなプラスチック袋本体は、通常、周辺部が電子レンジ加熱対象物を投入するための個所を残して熱融着で閉じられ（所謂ヒートシールされ）、電子レンジ加熱対象物投入後に周辺部の開いていた個所もヒートシールされる。
【０００３】
図４に電子レンジ加熱対象物をマイクロ波透過可能な袋本体に密封収容した電子レンジ加熱物収容袋の従来例を示す。図４の電子レンジ加熱物収容袋Ｂは、電子レンジ加熱対象食品（本例ではカレー）Ｆ’をマイクロ波透過可能な袋本体９に密封収容したものである。図４（Ａ）は袋Ｂの平面図であり、図４（Ｂ）は袋Ｂを図４（Ａ）の右側から見て示す図である。
【０００４】
袋本体９はマイクロ波透過可能な、合成樹脂製の積層フィルムｆ１をそのヒートシール可能な層を内側にして互いに重ね、それらの合わされた周辺部ｅを、食品Ｆ’を投入する後辺部ｅ２を残して熱融着で閉じ（所謂ヒートシールし）、未だ開いている後辺部ｅ２から食品Ｆ’を袋本体９内に投入し、その後に後辺部ｅ２もヒートシールしたものである。
【０００５】
袋本体９にはその後辺部ｅ２とそれに対向する前辺部ｅ１との間の前辺部ｅ１寄りの部位に電子レンジ加熱時の上昇内圧で開封される圧抜き部Ｐを設けてある。圧抜き部Ｐは周辺部ｅを食品投入のための後辺部ｅ２を残してヒートシールするとき、周辺部ｅの一部ｅ’を合わせ立ち上げてヒートシールするとともに、そこに形成したものである。
【０００６】
袋本体９は食品Ｆ’の密封収容域９０を有しており、密封収容域９０を提供している密封収容域９０を囲む閉じ縁ライン９１は、直線状の前縁ライン部分９１１、それに対向する直線状の後縁ライン部分９１２、それらの間に並行に延びる直線状の両側縁ライン部分９１３からなっている。
【０００７】
袋本体への食品Ｆ’投入後に後辺部ｅ２がヒートシールされることで形成される後縁ライン部分９１２は各側縁ライン部分９１３と直角をなしている。
このような電子レンジ加熱物収容袋は、例えば特開平１０-７２０７０号公報及び特開平１１-１３０１５９号公報に記載されている。
【０００８】
なお、袋本体９はその外輪郭ライン９２と前記密封収容域９０を囲む閉じ縁ライン９１の間でヒートシールされて周辺部ｅを提供する。外輪郭ライン９２は図示例では、前側の直線状の輪郭ライン部分９２１と、後ろ側の直線状の輪郭ライン部分９２２と、前側輪郭ライン部分９２１と後ろ側輪郭ライン部分９２２の間の直線状の両側輪郭ライン部分９２３と、前側輪郭ライン部分９２１と両側輪郭ライン部分９２３とをつなぐ円弧状の第１中間輪郭ライン部分９２４と、後ろ側輪郭ライン部分９２２と両側輪郭ライン部分９２３とをつなぐ円弧状の第２中間輪郭ライン部分９２５とからなっている。
【先行技術文献】
【特許文献】
【０００９】
【特許文献１】特開平１０-７２０７０号公報
【特許文献２】特開平１１-１３０１５９号公報
【発明の概要】
【発明が解決しようとする課題】
【００１０】
しかしながら、図４に示す袋本体９への食品Ｆ’投入後に後辺部ｅ２がヒートシールされることで形成される後縁ライン部分９１２は各側縁ライン部分９１３と直角をなしている。
【００１１】
また、図４に示す袋本体９を採用する電子レンジ加熱物収容袋Ｂを電子レンジ加熱するときには、圧抜き部Ｐから内容物（被加熱物）がこぼれ出ないように、袋本体９の前辺部ｅ１を後辺部ｅ２より高い位置に配置するのが一般的である。
【００１２】
そうすると、食品投入後に後辺部ｅ２がヒートシールされることで形成される後縁ライン部分９１２と各側縁ライン部分９１３とが直角をなす尖った個所の内側に被加熱物が入り込んだ状態となる。
【００１３】
前記尖った個所の内側にある被加熱物が電子レンジ加熱されるとき、該尖った個所及びその内側にある被加熱物がそうでない個所及びその内側の被加熱物と比べて集中的に高温に加熱される傾向がある。これは、袋本体の該尖った個所の表面積の大きさの割りにはその内側にある被加熱物の量が少量であるからではないかと考えられる。
【００１４】
このような現象は尖塔効果として知られているが、例えば電子レンジの出力、被加熱物の種類、被加熱物の加熱時間等が誤って過度のものになるような場合、袋本体のそのように尖った個所が溶融して被加熱物が流出する恐れがある。
【００１５】
本発明は、電子レンジ加熱対象物を袋本体に密封収容した電子レンジ加熱物収容袋であり、前記袋本体はマイクロ波透過可能な、前記電子レンジ加熱対象物の電子レンジ加熱時の昇温に耐え得る耐熱性を有するフィルムで形成されており、且つ、外輪郭ラインと前記電子レンジ加熱対象物の密封収容域を囲む閉じ縁ラインの間でヒートシールされていて扁平状に形成されており、前記電子レンジ加熱対象物の密封収容域を囲む閉じ縁ラインは順次連続して前記密封収容域を囲む複数の縁ライン部分からなり、前記複数の縁ライン部分には前記電子レンジ加熱対象物の袋本体内投入後に閉じられる後閉じ縁ライン部分が含まれている電子レンジ加熱物収容袋であって、前記電子レンジ加熱対象物の袋本体内投入後に閉じられる前記後閉じ縁ライン部分が簡単に精度よく閉じられるとともに電子レンジ加熱時に集中加熱される尖塔効果をもたらさないように隣り合う縁ライン部分に連続しており、それだけ袋本体の電子レンジ加熱時の溶融損傷のおそれを低減できる電子レンジ加熱物収容袋を提供することを課題とする。
【課題を解決するための手段】
【００１６】
本発明は前記課題を解決するため、
電子レンジ加熱対象物を袋本体に密封収容した電子レンジ加熱物収容袋であり、前記袋本体はマイクロ波透過可能な、前記電子レンジ加熱対象物の電子レンジ加熱時の昇温に耐え得る耐熱性を有するフィルムで形成されており、且つ、外輪郭ラインと前記電子レンジ加熱対象物の密封収容域を囲む閉じ縁ラインの間でヒートシールされていて扁平状に形成されており、前記電子レンジ加熱対象物の密封収容域を囲む閉じ縁ラインは順次連続して前記密封収容域を囲む複数の縁ライン部分からなり、前記複数の縁ライン部分には前記電子レンジ加熱対象物の袋本体内投入後に閉じられる後閉じ縁ライン部分が含まれている電子レンジ加熱物収容袋であって、
前記袋本体は扁平四角形状に形成されており、前記密封収容域を囲む複数の縁ライン部分には前縁ライン部分と、前記前縁ライン部分とは反対側の直線状の後縁ライン部分と、前記前縁ライン部分及び後縁ライン部分の間の直線状の両側縁ライン部分が含まれており、
前記前縁ライン部分と前記後縁ライン部分の間の部位に前記電子レンジ加熱対象物の電子レンジ加熱時の袋本体内上昇圧により開封されて袋本体内圧を逃がす圧抜き部が形成されており、
前記直線状の後縁ライン部分は前記後閉じ縁ライン部分であり、
前記後縁ライン部分と前記各側縁ライン部分とが直線状の中間縁ライン部分を介して連続しており、
前記密封収容域側から見て、前記各中間縁ライン部分と前記各側縁ライン部分とがなす角度及び前記各中間縁ライン部分と前記後縁ライン部分とがなす角度のそれぞれは１８０度未満の鈍角である電子レンジ加熱物収容袋を提供する。
【００１７】
上記の「前記密封収容域側から見て、前記各中間縁ライン部分と前記各側縁ライン部分とがなす角度及び前記各中間縁ライン部分と前記後縁ライン部分とがなす角度」というような場合において、隣り合う縁ライン部分がなす角度とは、（１）隣り合う縁ライン部分の双方が直線状縁ライン部分であるときは、それらライン部分がなす角度であって前記密封収容域側から見た角度であり、（２）隣り合う縁ライン部分のうち一方が直線状縁ライン部分で、他方が円弧状縁ライン部分であるときは、それら両者の連続点における該円弧状縁ライン部分の接線と該一方の直線状縁ライン部分とがなす角度であって前記密封収容域側から見た角度であり、（３）隣り合う縁ライン部分のうち双方が円弧状縁ライン部分であるときは、それら両者の連続点における各円弧状縁ライン部分の接線が互いになす角度であって前記密封収容域側から見た角度である。
前記円弧状縁ライン部分の接線とは該円弧状縁ライン部分とそれに隣り合う縁ライン部分の連続点から該円弧状縁ライン部分の方へ延ばした接線である。
【００１８】
本発明に係る電子レンジ加熱物収容袋によると、前記袋本体の前記電子レンジ加熱対象物の密封収容域を囲む閉じ縁ラインは順次連続して前記密封収容域を囲む複数の縁ライン部分からなっている。
【００１９】
前記複数の縁ライン部分には前記電子レンジ加熱対象物の袋本体内投入後に閉じられる後閉じ縁ライン部分が含まれており、前記後閉じ縁ライン部分は直線状の縁ライン部分である。従って直線状の後閉じ縁ライン部分を前記電子レンジ加熱対象物の袋本体内投入後に閉じる処理は、最終的に閉じるべき縁ライン部分として例えば円弧状の縁ライン部分が含まれているような縁ライン部分が採用されているような場合とくらべると、簡単、容易に精度よく閉じることができる。
【００２０】
また、前記後縁ライン部分と前記各側縁ライン部分とが直線状の中間縁ライン部分を介して連続しており、前記密封収容域側から見て、前記各中間縁ライン部分と前記各側縁ライン部分とがなす角度及び前記各中間縁ライン部分と前記後縁ライン部分とがなす角度のそれぞれは１８０度未満の鈍角である。すなわち、前記各側縁ライン部分及び前記電子レンジ加熱対象物の袋本体内投入後に閉じられる直線状の後閉じ縁ライン部分は、電子レンジ加熱時に集中加熱される尖塔効果をもたらさないように隣り合う前記中間縁ライン部分に連続しており、それだけ袋本体の電子レンジ加熱時の溶融損傷のおそれを低減できる。
【００２３】
また、本発明に係る電子レンジ加熱物収容袋の袋本体では、前記前縁ライン部分は直線状の縁ライン部分であり、前記前縁ライン部分は前記各側縁ライン部分と円弧状の縁ライン部分を介して連続しており、
前記前縁ライン部分と前記各側縁ライン部分とをつなぐ前記各円弧状の縁ライン部分は、隣り合うもの同士がそれらの連続点においてなめらかに直線状に連続する複数の円弧状の分割縁ライン部分からなっており、前記分割縁ライン部分のうち前記前縁ライン部分に隣り合う分割縁ライン部分は該前縁ライン部分との連続点においてなめらかに直線状に該前縁ライン部分に連続しており、前記分割縁ライン部分のうち前記側縁ライン部分に隣り合う分割縁ライン部分は、前記密封収容域側から見て該側縁ライン部分と１８０度未満の鈍角をなして該側縁ライン部分につながっている。
【００２５】
いずれにしても、前記袋本体の外輪郭の代表例として次の例を挙げることができる。
すなわち、前記袋本体は扁平四角形状の袋本体であり、前記袋本体の外輪郭ラインは複数の輪郭ライン部分からなり、前記複数の輪郭ライン部分には前側の直線状の輪郭ライン部分と、後ろ側の直線状の輪郭ライン部分と、前記前側輪郭ライン部分と前記後ろ側輪郭ライン部分の間の直線状の両側輪郭ライン部分と、前記前側輪郭ライン部分と前記両側輪郭ライン部分とをつなぐ第１中間輪郭ライン部分と、前記後ろ側輪郭ライン部分と前記両側輪郭ライン部分とをつなぐ第２中間輪郭ライン部分とが含まれており、前記前側輪郭ライン部分と前記各第１中間輪郭ライン部分、前記後ろ側輪郭ライン部分と前記各第２中間輪郭ライン部分、前記両側輪郭ライン部分と前記第１及び第２の中間輪郭ライン部分はそれぞれ前記密封収容域側から見て互いに鈍角をなして連続している場合である。
【００２６】
また、いずれにしても、前記電子レンジ加熱対象物として、電子レンジ加熱可能な食品（例えばカレー）を挙げることができる。
【発明の効果】
【００２７】
以上説明したように、本発明によると、電子レンジ加熱対象物を袋本体に密封収容した電子レンジ加熱物収容袋であり、前記袋本体はマイクロ波透過可能な、前記電子レンジ加熱対象物の電子レンジ加熱時の昇温に耐え得る耐熱性を有するフィルムで形成されており、且つ、外輪郭ラインと前記電子レンジ加熱対象物の密封収容域を囲む閉じ縁ラインの間でヒートシールされていて扁平状に形成されており、前記電子レンジ加熱対象物の密封収容域を囲む閉じ縁ラインは順次連続して前記密封収容域を囲む複数の縁ライン部分からなり、前記複数の縁ライン部分には前記電子レンジ加熱対象物の袋本体内投入後に閉じられる後閉じ縁ライン部分が含まれている電子レンジ加熱物収容袋であって、前記電子レンジ加熱対象物の袋本体内投入後に閉じられる前記後閉じ縁ライン部分が簡単に精度よく閉じられるとともに電子レンジ加熱時に集中加熱される尖塔効果をもたらさないように隣り合う縁ライン部分に連続しており、それだけ袋本体の電子レンジ加熱時の溶融損傷のおそれを低減できる電子レンジ加熱物収容袋を提供することができる。
【図面の簡単な説明】
【００２８】
【図１】本発明に係る電子レンジ加熱物収容袋の１例の平面図である。
【図２】図１の電子レンジ加熱物収容袋を図１において下方から見た底面図である。
【図３】後閉じ縁ライン部分とそれに隣り合う縁ライン部分がなす角度の他の例を示している。
【図４】図（Ａ）は電子レンジ加熱食品収容袋の従来例の平面図であり、図（Ｂ）は図（Ａ）の袋を図（Ａ）の右側から見て示す図である。
【発明を実施するための形態】
【００２９】
以下、図面を参照して本発明に係る電子レンジ加熱物収容袋の例について説明する。
図１は本発明に係る電子レンジ加熱物収容袋の１例の平面図であり、図２は図１の電子レンジ加熱物収容袋を図１において下方から見た底面図である。
【００３０】
図示の電子レンジ加熱物収容袋Ａは、電子レンジ加熱対象物（被加熱物）Ｆを袋本体１に密封収容した電子レンジ加熱物収容袋である。
それとは限定されないが、本例では、（被加熱物）Ｆは流動性を示すカレー等の食品のうちいずれかのものである。
【００３１】
袋本体１はマイクロ波透過可能な、食品Ｆの電子レンジ加熱時の昇温に耐え得る耐熱性を有するフィルムｆを重ねて形成されており、且つ、外輪郭ライン１１と食品Ｆの密封収容域１０を囲む閉じ縁ライン１２の間の周辺部１００でヒートシールされて四角形状に扁平状に形成されている。
【００３２】
食品Ｆの密封収容域１０を囲む閉じ縁ライン１２は順次連続して密封収容域１０を囲む複数の縁ライン部分からなっている。前記複数の縁ライン部分には、直線状の前縁ライン部分１２１と、前縁ライン部分１２１とは反対側の、前縁ライン部分１２１と平行な直線状の後縁ライン部分１２２と、前縁及び後縁のライン部分１２１，１２２の間の直線状の互いに平行な両側縁ライン部分１２３が含まれている。前縁及び後縁のライン部分１２１，１２２の方向は側縁ライン部分１２３に直角な方向である。
【００３３】
前縁ライン部分１２１と後縁ライン部分１２２の間の前縁ライン部分寄りの部位に食品Ｆの電子レンジ加熱時の袋本体内上昇圧により開封されて袋本体内圧を逃がす圧抜き部１３が形成されている。
【００３４】
さらに説明すると、圧抜き部１３は、図１に示すように、袋本体１を構成している重ねられたフィルムｆの前縁ライン部分１２１に近い部位を円形にヒートシール１３１し、該ヒートシール部分１３１の中央部に透孔１３２を形成したものである。ヒートシール部分１３１は電子レンジ加熱時の袋本体内気圧上昇で、袋が破裂しない安全圧力範囲内でフィルムｆ間を剥がして袋内を孔１３２へ連通させることができる、周辺部１００より弱い弱シール部である。
【００３５】
前縁ライン部分１２１は円弧状の縁ライン部分１２４を介して各側縁ライン部分１２３に連続している。前縁ライン部分１２１と各円弧状縁ライン部分１２４とがなす角度θ１は図示のとおり略１８０度であり、前縁ライン部分１２１と各円弧状縁ライン部分１２４はそれらの連続点においてなめらかに直線状に連続している。また、各側縁ライン部分１２３と円弧状縁ライン部分１２４とがなす角度θ２のそれぞれは、密封収容域１０側から見て鈍角である。
【００３６】
各円弧状縁ライン部分１２４は連続する二つの円弧状の分割縁ライン部分１２４１、１２４２からなっている。
これら二つの円弧状の分割縁ライン部分１２４１、１２４２がなす角度θ５は図示のとおり略１８０度であり、これら二つの円弧状の分割縁ライン部分１２４１、１２４２はそれらの連続点においてなめらかに直線状に連続している。
【００３７】
後縁ライン部分１２２と各側縁ライン部分１２３とは直線状の中間縁ライン部分１２５を介して連続している。後縁ライン部分１２２は食品Ｆの袋本体１内投入後に閉じられる後閉じ縁ライン部分であり、閉じられた状態では、密封収容域１０側から見て、後縁ライン部分１２２と各中間縁ライン部分１２５とがなす角度θ３は１８０度より小さい鈍角である。各側縁ライン部分１２３と中間縁ライン部分１２５とがなす角度θ４も１８０度より小さい鈍角である。
なお、中間縁ライン部分１２５も食品Ｆの袋本体１内投入後に閉じられる後閉じ縁ライン部分としてもよい。
【００３８】
袋本体１の外輪郭ライン１１は複数の輪郭ライン部分からなっている。
この複数の輪郭ライン部分には前側の直線状の輪郭ライン部分１１１と、後ろ側の直線状の輪郭ライン部分１１２と、それら両輪郭ライン部分の間の直線状の両側輪郭ライン部分１１３と、輪郭ライン部分１１１，１１３をつなぐ第１中間輪郭ライン部分１１４と、輪郭ライン部分１１２，１１３をつなぐ第２中間輪郭ライン部分１１５とが含まれている。
【００３９】
前側輪郭ライン部分１１１と各第１中間輪郭ライン部分１１４、後ろ側輪郭ライン部分１１２と各第２中間輪郭ライン部分１１５、両側輪郭ライン部分１１３と第１及び第２の中間輪郭ライン部分１１４，１１５はそれぞれ密封収容域１０側から見て互いに鈍角をなして連続している。
【００４０】
以上説明した電子レンジ加熱物収容袋Ａは、食品Ｆを袋本体１内に投入した後にヒートシール処理で閉じられる後閉じ縁ライン部分である後縁ライン部分１２２は直線状の縁ライン部分であるから、最終的に閉じるべき縁ライン部分として例えば円弧状の縁ライン部分が含まれているような縁ライン部分が採用されているような場合とくらべると、簡単、容易に精度よく閉じることができる。
【００４１】
電子レンジ加熱物収容袋Ａはそのまま電子レンジ内に配置して電子レンジ加熱できる。
加熱にあたっては、袋本体内圧の上昇により圧抜き部１３が開封されたとき、そこから食品Ｆが漏れ出ないように、圧抜き部１３が袋本体１の後縁ライン部分１２２、さらには中間縁ライン部分１２５より高所に位置するように電子レンジ内に配置することができる。
【００４２】
そのような配置姿勢では、食品Ｆが後縁ライン部分１２２及び中間縁ライン部分１２５側へ移動してきてそこで加熱されやすくなるが、食品Ｆの袋本体内投入後に閉じられる後縁ライン部分１２２は、隣り合う中間縁ライン部分１２５に、食品密封収容域１０側から見て鈍角θ３をなして連続している。各中間縁ライン部分１２５も側縁ライン部分１２３に鈍角θ４をなして連続している。
【００４３】
すなわち、食品Ｆの袋本体１内投入後に閉じられる直線状の後縁ライン部分１２２は、電子レンジ加熱時に集中加熱される尖塔効果をもたらさないように隣り合う中間縁ライン部分１２５に連続しており、さらに各中間縁ライン部分１２５も尖塔効果をもたらさないように隣り合う側縁ライン部分１２３へ連続している。したがって、それだけ袋本体１の電子レンジ加熱時の溶融損傷のおそれを低減できる。
また、後縁ライン部分１２２は直線状の縁ライン部分であるから、ヒートシール閉じするときに少しぐらいヒートシール位置がずれても前記角度θ３を鈍角に設定でき、この点でも簡単、容易に閉じることができる。
【００４４】
袋本体１の後端（下端）から中間縁ライン部分１２５と側縁ライン部分１２３の連続点までの高さｈと、袋本体１の側端から中間縁ライン部分１２５と後縁ライン部分１２２の連続点までの幅ｗとを変化させることで前記角度θ３、θ４を変化させ、袋本体１の溶融発生の有無を調べた結果を以下に示す。比較例として、中間縁ライン部分１２５を採用せず、図４の従来例と同様に後縁ライン部分を直角に側縁ライン部分へ交差させた袋本体を採用した電子レンジ加熱物収容袋についても調べた。
【００４５】
いずれについても、袋本体１を形成するフィルムｆとして、延伸処理が施されていないキャスティングポリプロピレン（ＣＰＰ）フィルム層（厚さ５０μｍ）を食品Ｆに接触する内側フィルム層として採用し、それに補強フィルム層として、厚さ１５μｍの、２軸延伸処理されたポリアミド（ＯＮＹ）フィルム層をイソシアネート系接着剤層で積層接着し、その上に厚さ１２μｍのポリエチレンテレフタレート（ＰＥＴ）フィルム層をイソシアネート系接着剤層で積層接着した積層フィルムを採用した。
【００４６】
袋本体１の全高Ｈは１６５ｍｍ、全幅Ｗは１３４ｍｍであり、周辺部１００のヒートシール幅は袋本体角部分では大きくなっているが、それ以外では６ｍｍ程度とした。
食品Ｆはカレーであり、約２００ｇ収容した。
電子レンジは出力６００ワットのものを用い、加熱時間は本来求められる加熱時間より長い２分とした。
【００４７】
袋本体底部溶融調査試験結果
試験１        試験２        試験３        比較試験
ｈ      ４０ｍｍ      ２０ｍｍ      ２０ｍｍ
ｗ      ２０ｍｍ      ２０ｍｍ      ４０ｍｍ
試験個数      ２００        ２００        ２００        ２００
底部溶融個数          ０            ０            ０            ４
発生率          ０％          ０％          ０％          ２％
【００４８】
上記調査結果から、前記角度θ３を、或いはさらに角度θ４を鈍角に設定することで袋本体１の溶融損傷を防止できることがわかる。
【００４９】
なお、直線状の後縁ライン部分（後閉じライン部分）とそれに隣り合う縁ライン部分がなす角度として、１８０度より大きい角度も参考までにあげることができる。図３はそのような例を示している。
【００５０】
図３は、直線状の後縁ライン部分（後閉じライン部分）１２２の左右に隣り合う各縁ライン部分１２５’が側縁ライン部分１２３に鈍角θ６で連続してライン部分１２２へ立ち上がるように弧を描いて延びる縁ライン部分であり、ライン部分１２２とライン部分１２５’が１８０度より大きい角度θ７をなして続いている例を示している。
図３に示されているとおり、角度θ６は、円弧状の縁ライン部分１２５’と側縁ライン部分１２３の連続点における円弧状縁ライン部分１２５’の接線であって該連続点から該円弧状縁ライン部分の方へ延びる接線と該側縁ライン部分１２３がなす角度であって、電子レンジ加熱対象物の密封収容域側から見た角度であり、鈍角である。同様に、角度θ７は、円弧状の縁ライン部分１２５’と後縁ライン部分（後閉じライン部分）１２２の連続点における円弧状縁ライン部分１２５’の接線であって該連続点から該円弧状縁ライン部分の方へ延びる接線と該後縁ライン部分（後閉じライン部分）１２２がなす角度であって、電子レンジ加熱対象物の密封収容域側から見た角度である。
【産業上の利用可能性】
【００５１】
本発明は電子レンジ加熱対象物（被加熱物）の密封収容域を囲む閉じ縁ラインを形成する複数の縁ライン部分のうち被加熱物の袋本体内投入後に閉じられる後閉じ縁ライン部分が簡単に精度よく閉じられることができるとともに電子レンジ加熱時に集中加熱される尖塔効果をもたらさないように隣り合う縁ライン部分に連続している電子レンジ加熱物収容袋を提供することに利用できる。
【符号の説明】
【００５２】
Ａ  電子レンジ加熱物収容袋
Ｆ  電子レンジ加熱対象物（被加熱物）
１  袋本体
ｆ  フィルム
１０  電子レンジ加熱対象物（被加熱物）の密封収容域
１１  外輪郭ライン
１２  閉じ縁ライン
１２１  前縁ライン部分
１２２  後縁ライン部分（後閉じライン部分）
１２３  側縁ライン部分
１２４  円弧状ライン部分
１２４１、１２４２  分割円弧状ライン部分
１２５  中間縁ライン部分
１２５’ 縁ライン部分
１３  圧抜き縁
１１１  前側輪郭ライン部分
１１２  後ろ側輪郭ライン部分
１１３  側輪郭ライン部分
１１４  第１中間輪郭ライン部分
１１５  第２中間輪郭ライン部分
θ１  前縁ライン部分１２１と円弧状縁ライン部分１２４がなす角度
θ２  側縁ライン部分１２３と円弧状縁ライン部分１２４がなす角度
θ３  後縁ライン部分１２２と中間縁ライン部分１２５がなす角度
θ４  側縁ライン部分１２３と中間縁ライン部分１２５がなす角度
θ５  分割円弧状縁ライン部分１２４１、１２４２がなす角度
θ６  側縁ライン部分１２３と縁ライン部分１２５’がなす角度
θ７  縁ライン部分１２５’と後縁ライン部分（後閉じライン部分）１２２がなす角度
【図１】
0005897295.tif 000002
【図２】
0005897295.tif 000003
【図３】
0005897295.tif 000004
【図４】
0005897295.tif 000005